(57)【要約】【課題】室内空間に浮遊する埃や煙草などの汚染物質を含んだ汚染空気を洗浄する空気清浄機に、花粉や粉塵等と共に部屋の中に侵入してくる蚊を迎撃する手段を備えることで効率よく蚊の駆除と空気清浄を行う空気清浄機の提供を目的としている。【解決手段】空気清浄機に空気清浄手段としての集塵フィルタ７と脱臭フィルタ８を通る第一の風路２８と、空気清浄手段を持たない第二の風路２９を設け、蚊を検知する検知センサ１０と、検知した蚊を駆除するようにガス発生装置９を有し、前記検知センサ１０が蚊を検知したときにスライドボード１３を移動させて、風路を第二の風路２９へ風路を切り替えてガスを散布する制御をすることで空気清浄と蚊の撃退を両立できる空気清浄機が得られる。【選択図】図２
2009250463.tif 000002
【特許請求の範囲】
【請求項１】
空気を吸い込む吸気口と、空気を吹き出す吐出口と、前記吸気口と吐出口を連通させる送風機と、前記吸気口から吸気された空気の清浄を行う空気清浄手段を有した第一の風路と、空気清浄手段を持たない第二の風路と、これらの風路を切り替える風路切替手段と、蚊を検知する検知手段と、検知した蚊を駆除するようにガス散布手段を有し、前記検知手段が蚊を検知したときにガスを散布し、第二の風路へ風路を切り替える制御をすることを特徴とした空気清浄機。
【請求項２】
ガス散布手段を第二の風路内に配置した請求項１に記載の空気清浄機。
【請求項３】
蚊を誘引する誘引手段を有する請求項１に記載の空気清浄機。
【請求項４】
蚊の羽音を検知する手段を有する請求項１に記載の空気清浄機。
【請求項５】
蚊を検知したことを表示する蚊の表示手段を有する請求項１に記載する空気清浄機。
【請求項６】
蚊を炭酸ガスで誘引することを特徴とする請求項３に記載の空気清浄機。
【請求項７】
蚊を熱温器にて誘引することを特徴とする請求項３に記載の空気清浄機。
【請求項８】
蚊が所定の範囲内にいることを検知すると殺虫ガスを散布するガス散布手段を有する請求項１に記載の空気清浄機。
【請求項９】
殺虫ガス散布後、蚊の羽音を所定時間検知しなかった場合、空気清浄運転することで散布したガスを除去するガス除去手段を有する請求項１に記載の空気清浄機。
【請求項１０】
殺虫ガス散布量を所定値に制御することを特徴とする請求項１に記載の空気清浄機。
【請求項１１】
誘引手段の動作を任意に入切できる入切設定手段を備えた請求項１に記載の空気清浄機。
【請求項１２】
空気清浄機に内蔵された殺虫ガスの残量を表示するガス量表示手段を有する請求項１に記載の空気清浄機。
【請求項１３】
１回のガス散布量を任意で設定する散布量設定手段を有する請求項１に記載の空気清浄機。
【発明の詳細な説明】
【技術分野】
【０００１】
本発明は、室内空間に浮遊する埃や煙草などの汚染物質を含んだ汚染空気を吸い込んで洗浄し、洗浄後の空気を室内に吹きだす機能を備えた空気洗浄機に関する。
【背景技術】
【０００２】
従来の空気清浄機は、室内空気のホコリや花粉を除去するための集塵フィルタと部屋の臭気を取る脱臭フィルタを備え、ファンを設けることにより、部屋の空気を循環させ、空気の清浄化運転を行っている。その空気清浄機１０１に図１１のように超音波発生器１０２を取り付けることで、害獣や害虫（蚊、ダニなど）を寄せ付けず、そこから発生する死骸や糞等などのアレル物質の発生を抑えていた（例えば特許文献１）。
【特許文献１】特開２００３−０１４２６７号公報
【発明の開示】
【発明が解決しようとする課題】
【０００３】
しかし、蚊は温暖化の影響により広い時期で発生し、花粉や粉塵等と共に部屋の中に侵入してくる。上記のような従来の空気清浄機では、蚊を寄せ付けない効果が十分に発揮できず、さらに駆除する手段を持ち合わせていないため、空気清浄機と共に蚊取り線香などの殺虫剤などを撒かなくてはならない。しかし、これらを同時に使用した場合、空気清浄機が殺虫成分まで除去してしまうため、殺虫剤の効果が激減してしまい、蚊の駆除に時間がかかってしまう。
【０００４】
本発明はこのような従来の課題を解決するものであり、効率よく蚊の駆除と空気清浄を行う空気清浄機の提供を目的としている。
【課題を解決するための手段】
【０００５】
本発明の空気清浄機は上記目的を達成するために、空気清浄機本体に、空気を吸い込む吸気口と、空気を吹き出す吐出口と、前記吸気口と吐出口を連通させる送風機と、前記吸気口から吸気された空気の清浄を行う空気清浄手段を有した第一の風路と、空気清浄手段を持たない第二の風路と、これらの風路を切り替える風路切替手段と、蚊を検知する検知手段と、検知した蚊を駆除するようにガス散布手段を有し、前記検知手段が蚊を検知したときにガスを散布し、第二の風路へ風路を切り替える制御をするものである。
【０００６】
この手段により、空気清浄だけでなく、蚊を撃退することのできる空気清浄機が得られる。
【０００７】
また、ガス散布手段を第二の風路内に配置したものである。
【０００８】
この手段により、空気清浄手段と殺虫ガス散布手段との風路を区別することができ、空気清浄手段であるフィルタが殺虫ガスを吸収することを避け効率よく、殺虫ガスを散布することができる空気清浄機が得られる。
【０００９】
また、蚊を誘引する誘引手段を有するものである。
【００１０】
この手段により、空気清浄機に蚊を誘引できるため、蚊を居住者から遠ざけることができる空気清浄機が得られる。
【００１１】
また、蚊の羽音を検知する手段を有するものである。
【００１２】
この手段により、居住者が気づかない内に進入してきた蚊を、空気清浄機が見つけて蚊を撃退することのできる空気清浄機が得られる。
【００１３】
また、蚊を検知したことを表示する蚊の表示手段を有するものである。
【００１４】
この手段により、居住者が気づかない内に進入してきた蚊を空気清浄機が見つけた際、蚊の存在を居住者に知らせることができる空気清浄機が得られる。
【００１５】
また、蚊を炭酸ガスで誘引する手段を有するものである。
【００１６】
この手段により、空気清浄機に誘引し、蚊を居住者から遠ざけることができる空気清浄機が得られる。
【００１７】
また、蚊を熱温器にて誘引する手段を有するものである。
【００１８】
この手段により、空気清浄機に誘引し、蚊を居住者から遠ざけることができる空気清浄機が得られる。
【００１９】
また、所定の範囲内にいることを検知すると殺虫ガスを散布するガス散布手段を有するものである。
【００２０】
この手段により、空気清浄機付近にいる蚊を殺虫ガスで撃退することができる空気清浄機が得られる。
【００２１】
また、殺虫ガス散布後、蚊の羽音を所定時間検知しなかった場合、空気清浄運転することで散布したガスを除去するガス除去手段を有するものである。
【００２２】
この手段により、空気清浄機の機能を利用して部屋に充満した殺虫ガスを収集することができる空気清浄機が得られる。
【００２３】
また、誘引手段の動作を任意に入切できる入切設定手段を備えているものである。
【００２４】
この手段により、使用者が蚊を見つけた場合、誘引手段のＯＮさせることができるため、空気清浄機を起動させて即座に蚊の誘引手段に移ることができる空気清浄機が得られる。
【００２５】
また、空気清浄機に内蔵された殺虫ガスの残量を表示するガス量表示手段を有するものである。
【００２６】
この手段により、使用者がガス残量が少なくなってきた際に、ガス残量を認識することができる空気清浄機が得られる。
【００２７】
また、１回のガス散布量を任意で設定する散布量設定手段を有するものである。
【００２８】
この手段により、使用者がガス散布量を調整できる空気清浄機が得られる。
【発明の効果】
【００２９】
本発明によれば空気清浄機能だけでなく蚊の検知と駆除をする機能を有することにより、より空気清浄と蚊の駆除を効率よく行う空気清浄機を提供することができる。
【００３０】
また、誘引手段により、蚊を誘引することにより効率よく蚊を駆除できる。
【００３１】
また、蚊の検知手段及びその表示手段により、空気清浄機が蚊を検知し、居住者に蚊の存在を気づかせることができるとともに、蚊の駆除手段に移ることができる。
【００３２】
また、蚊の駆除手段と空気清浄機能を制御することにより、空気清浄と蚊の駆除を効率よく切り替えて空気清浄を行うことができる。
【発明を実施するための最良の形態】
【００３３】
本発明の請求項１記載の発明は、空気清浄機本体に、空気を吸い込む吸気口と、空気を吹き出す吐出口と、前記吸気口と吐出口を連通させる送風機と、前記吸気口から吸気された空気の清浄を行う空気清浄手段を有した第一の風路と、空気清浄手段を持たない第二の風路と、これらの風路を切り替える風路切替手段と、蚊を検知する検知手段と、検知した蚊を駆除するようにガス散布手段を有し、前記検知手段が蚊を検知したときにガスを散布し、第二の風路へ風路を切り替える制御をすることで空気清浄手段へ空気を流すことなく殺虫ガスを散布して部屋に侵入した蚊を迎撃する作用を有する。
【００３４】
また、ガス散布手段を第二の風路内に配置したものであり、ガス散布中はフィルタが殺虫ガスを吸収することを避け効率よく殺虫ガスを散布する作用を有する。
【００３５】
また、蚊を誘引する誘引手段を有するものであり、空気清浄機に蚊を誘引することで、蚊を居住者から遠ざけることができる。さらに、検知手段との併用により検知効率を上げ、殺虫ガスによる駆除手段との併用により駆除効率を上げる作用を有する。
【００３６】
また、蚊の羽音を検知する手段を備えたものであり、部屋に進入してきた蚊を、空気清浄機が検知する作用を有する。
【００３７】
また、蚊を検知した際、蚊を検知したことを表示する蚊の表示手段を備えたものであり、居住者が気づかない内に進入した蚊の存在を居住者に気づかせる作用を有すると共に、誘引手段、ガス散布手段に移行していることを伝える作用を有する。
【００３８】
また、蚊を炭酸ガスで誘引する手段を備えたものであり、蚊が炭酸ガス密度の多いところに集まってくることを利用した手段であり、蚊を空気清浄機に誘引し、蚊の撃退手段の効率性を上げる作用を有する。
【００３９】
また、蚊を熱温器にて誘引する手段を備えたものであり、蚊が温度の高い場所を好む習性を利用したもので、蚊を空気清浄機に誘引し、蚊の撃退手段の効率性を上げる作用を有する。
【００４０】
また、蚊が所定の範囲内にいることを検知すると殺虫ガスを散布するガス散布手段を備えたものであり、蚊を殺虫ガスで撃退する作用を有する。
【００４１】
また、殺虫ガス散布後、蚊の羽音を所定時間検知しなかった場合、空気清浄運転することで散布したガスを除去するガス除去手段を備えたものであり、蚊の羽音を検知しなくなった後、空気清浄手段に戻し、フィルタによって殺虫ガスを回収し、ガス散布後、殺虫ガスが充満するのを防ぐ作用を有する。
【００４２】
また、誘引手段の動作を任意に入切できる入切設定手段を備えたものであり、使用者が蚊の存在を見つけた場合、誘引手段をＯＮにできるため空気清浄機を起動させたときにすぐに誘引手段に移す作用を有する。
【００４３】
また、空気清浄機に内蔵された殺虫ガスの残量を表示するガス量表示手段を備えたものであり、使用者にガスの残量を認識させ、補充を促す作用を有する。
【００４４】
また、１回のガス散布量を任意で設定できるものであり、使用者が散布されたガスが多くて気持ち悪くなった際、ガスの散布量を使用者に合わせて調整できるという作用を有する。
【００４５】
以下、本発明の実施の形態について図面を参照しながら説明する。
【００４６】
（実施の形態１）
図１、図２、図３（ａ）（ｂ）（ｃ）（ｄ）は本発明の実施の形態における空気清浄機の構成の例を示す図である。図１において空気清浄機本体は室内の空気を吸い込む吸気口４と空気を吹き出す吐出口３と、室内の空気の流れを制御するために吸気制御ルーバー６と吐出空気制御ルーバー５を設け、空気清浄機の風量調整やＯＮ／ＯＦＦのスイッチと蚊を検知したときに蚊を検知したことを表示する蚊の表示手段としてＬＥＤで構成した蚊の検知表示手段３１（図示せず）と後述する蚊誘引手段を「入り／切り」する入切設定手段３２（図示せず）としてスイッチを設けた表示部及び操作部１とを設け構成されている。また、本体内部には図２、図３に示すように前記吸気口４と吐出口３を連通させる送風機１４と、前記吸気口４から吸気された空気の清浄を行う空気清浄手段を有した第一の風路２８と、空気清浄手段を持たない第二の風路２９を設け、第一の風路２８には前記空気清浄手段として集塵フィルタ７と脱臭フィルタ８とこれらに通風するようフィルタ側通気ボード１２ａを設け、第二の風路２９にはガス発生装置側通気ボード１２ｂとガス散布手段としてのガス発生装置９を設け、風が他方の風路に漏れないよう集塵フィルタ７とガス発生装置９との間にシキイ１５を設ける。すなわち、第一の風路２８と第二の風路２９は図４のブロック図に示すように構成されている。第一の風路２８は吸気口４→フィルタ→送風機１４→吐出口３であり、第二の風路２９は吸気口４→ガス発生装置９→送風機１４→吐出口３である。そして、図５に示すようにこれらの風路を切替える風路切替手段３０であるスライドボード１３を第一の風路２８と第二の風路２９のガス発生装置側通気ボード１２ｂの後ろに設ける。すなわち、スライドボード１３は、風路を切り替えて第一の風路２８を形成するときには図５（ａ）のようにガス発生装置側通気ボード１２ｂ側にスライドさせ、フィルタ側のみ通風するようにする。また、風路を切り替えて第二の風路２９を形成するときには図５（ｂ）のようにフィルタ側通気ボード１２ａ側にスライドさせ、ガス発生装置９側の風路を通風させる。そして、スライドボード１３をスライドさせるための構成は図６に示すようにステッピングモータ２１に歯車２２を取り付け、これに連動する歯２３をスライドボード１３に設けて、ステッピングモータ２１の回転によりスライドさせる構成である。
【００４７】
さらに、蚊の羽音を検知する検知手段としての蚊検知センサ１０と蚊を誘引する誘引手段としての蚊誘引装置１１を並べて設け、これらの装置と室内を連通させる穴２を本体外郭に設け構成されている。蚊検知センサ１０は音センサを用い、蚊の羽音である３００Ｈｚ−６００Ｈｚの音を検知するように構成する。
【００４８】
また、蚊を炭酸ガスで誘引する蚊誘引手段としてかつ蚊を熱温器で誘引する蚊誘引手段としての蚊誘引装置１１は、蚊が二酸化炭素濃度の高いところに誘引される習性と周りより温度の高いところに誘引される習性を利用して、炭酸ガスを発生する機能と人の体温に近い３５〜４０℃の熱を発生する機能を設けることで構成する。そして、誘引装置１１の構造の例としては図７に示すように炭酸ガスを圧縮した炭酸ガスボンベ１６を設け、ガス制御装置１７によりガス放出量を制御し、炭酸ガスは炭酸ガス吐出口１８から放出される。さらに熱発生装置として発熱器１９とその制御回路２０を設け、蚊を誘引する構成である。
【００４９】
また、殺虫ガス発生手段としてガス発生装置９の殺虫ガス発生方法の例はエアゾール方式すなわち微小粒子として散布する方法と、液体殺虫剤を加熱、蒸散させる従来の電子蚊取り器の方式を備えたものである。
【００５０】
上記構成において、本発明の空気清浄機の動作を、図８のフローチャートを参照しながら説明する。空気清浄運転で動作しているとき、蚊検知センサ１０が蚊を検知するか、使用者が蚊を見つけて入切設定手段３２で「入り」にすると、蚊誘引装置１１は動作を開始し、ステッピングモータ２１を駆動してフィルタ側通気ボード１２ａ側にスライドボード１３を移動させることにより、風路を第一の風路２８から第二の風路２９へ切り替える。このとき、蚊検知センサ１０が蚊を検知したときに表示部及び操作部１において蚊の検知表示手段３１が点灯し、使用者に蚊の存在を伝え、蚊誘引装置１１の動作を継続しつつ、ガス発生装置９より殺虫ガスを気流に乗せて散布する。その後、一定時間蚊の羽音を蚊検知センサ１０が検知しなかった場合、ステッピングモータ２１を駆動して風路を第二の風路２９から第一の風路２８にもどし、空気清浄運転を再開する。その際、表示部及び操作部１において蚊の検知表示手段３１を消灯させ空気清浄運転を再開したことを使用者に伝える。このとき、ガス除去手段３３として集塵フィルタ７及び脱臭フィルタ８の空気清浄機能を利用して殺虫成分を除去し、殺虫ガスが部屋に充満するのを防ぐ。このような制御により、風路を切替えて空気清浄動作と蚊を撃退する動作を両立させることができる。
【００５１】
（実施の形態２）
本実施の形態は実施の形態１に加えて蚊を検知した際、羽音の大きさにより蚊の存在する位置までの距離を検知する距離検知手段３４（図示せず）を設けたことを特徴とし、蚊が所定の範囲内にいることを検知後、ガスを散布する構成である。尚、実施の形態１と同じ構成部分については、同一の符号を付し、その詳細の説明は省略する。
【００５２】
上記構成において、本発明の空気清浄機における動作を説明する。図９のフローチャートのように、蚊検知センサ１０が蚊を検知後、すぐにガス発生装置９を動作させずにステッピングモータ２１によりスライドボード１３を駆動させ、フィルタ側通気ボード１２ａ側の第一の風路２８を遮断し第二の風路２９に切替えた後、蚊誘引装置１１の動作を開始する。そして、距離検知手段３４が空気清浄機から蚊の存在する距離を検知し、所定の範囲内にいることを検知するとガス発生装置９を動作させる。このような制御方式にすることで殺虫ガス散布量を少なくすることができ、効率よく蚊を迎撃できる。
【００５３】
（実施の形態３）
本実施の形態は実施の形態１のガス発生装置９を図１０に示す揮発性の殺虫液２６の使用量を所定値に制御するガス使用量制御装置２４と、使用者が１回のガス散布量を任意で設定する機能すなわち散布量設定手段３５と、殺虫液２６を揮発させる発熱器２５と、ガスの残量として殺虫液２６の質量を測定する質量計２７とその残量を表示するガス量表示手段３６（図示せず）としての７セグＬＥＤを表示部及び操作部１に設け構成したものである。
【００５４】
上記構成における動作を説明する。まず、蚊を検知すると発熱器２５に殺虫液２６の所定量を落とすように制御することでガスの発生量を所定値に保つ。さらに、プログラムにて殺虫液２６の使用量として前記所定量のパターンを複数作っておき、使用者の設定に合わせたパターンを選べるようにしておく。尚、１回の使用量の例としては０．７５ｍｌを基準として、０．５ｍｌ、０．３ｍｌと複数のパターンを設定しておくのが好ましい。このような制御を行うことで、殺虫ガスの節約や使用者に合わせた使用量を設定することができる。また、ガスの残量を認識する方法の例としては、質量計２７の上に殺虫液２６を置き、その質量を量ることにより残量を計算する。計算された残量は表示部及び操作部１のガス量表示手段３６に表示される。尚、ガス量表示手段３６はガスが所定の残量になると、表示部及び操作部１の残量を表示する単灯のＬＥＤが点灯する構成にしてもよい。このようなガス量表示手段を有することにより使用者がガスの残量を把握することができる。
【産業上の利用可能性】
【００５５】
本発明にかかる空気清浄機は、空気調和機でも同様の手段を用いることで、蚊の撃退及び空気清浄を行うことができる。
【図面の簡単な説明】
【００５６】
【図１】本発明の実施形態１の空気清浄機の外部構成を示す斜影図
【図２】本発明の実施形態１の空気清浄機の内部構成を示す斜影図
【図３】本発明の実施形態１の空気清浄機の内部構成を示す図（（ａ）左側面図、（ｂ）正面図、（ｃ）右側図、（ｄ）上面図）
【図４】同空気清浄機の請求項１に基づく風路を示すブロック図
【図５】同空気清浄機の風路変更手段の構成を示す図
【図６】同空気清浄機のスライドボードのスライド方法の構成を示す図
【図７】同空気清浄機の蚊誘引手段の構成例を示す図
【図８】実施形態１の空気清浄機の動作を示すブロック図
【図９】実施形態２の空気清浄機の動作を示すブロック図
【図１０】実施形態３のガス発生装置の構成を示す図
【図１１】従来空気清浄機の斜影図
【符号の説明】
【００５７】
１      表示部及び操作部
２      穴
３      吐出口
４      吸気口
５      吐出空気制御ルーバー
６      吸気制御ルーバー
７      集塵フィルタ
８      脱臭フィルタ
９      ガス発生装置
１０    蚊検知センサ
１１    蚊誘引装置
１２ａ  フィルタ側通気ボード
１２ｂ  ガス発生装置側通気ボード
１３    スライドボード
１４    送風機
１５    シキイ
１６    炭酸ガスボンベ
１７    ガス制御装置
１８    炭酸ガス吐出口
１９    発熱器
２０    制御回路
２１    ステッピングモータ
２２    歯車
２３    歯
２４    ガス使用量制御装置
２５    発熱器
２６    殺虫液
２７    質量計
２８    第一の風路
２９    第二の風路
３０    風路切替手段
３１    蚊の検知表示手段
３２    入切設定手段
３３    ガス除去手段
３４    距離検知手段
３５    散布量設定手段
３６    ガス量表示手段
【図１】
2009250463.tif 000003
【図２】
2009250463.tif 000004
【図３】
2009250463.tif 000005
【図４】
2009250463.tif 000006
【図５】
2009250463.tif 000007
【図６】
2009250463.tif 000008
【図７】
2009250463.tif 000009
【図８】
2009250463.tif 000010
【図９】
2009250463.tif 000011
【図１０】
2009250463.tif 000012
【図１１】
2009250463.tif 000013